(57)【特許請求の範囲】
【請求項１】
筐体内に配設される主プリント基板と、
本体部と本体部に設けられた操作子とを有し、上記主プリント基板に取り付けられる可変電気素子と、
上記筐体に形成された開口部より外部に突出され、上記可変電気素子の操作子に形成された係合部に係合する操作部と、
上記筐体に形成された開口部より外部に臨まされ、上記操作部近傍に設けられる導光体と、
上記主プリント基板と離間して上記可変電気素子と上記導光体の間に配置される副プリント基板と、
上記副プリント基板に上記導光体を介して上記操作部の下面と対向するように、上記操作部の全周に亘って実装される複数の発光素子とを備え、
上記副プリント基板に取り付けられた発光素子は、上記操作子を中心として上記操作部の外径よりも小さい範囲に配設され、
上記副プリント基板は上記主プリント基板に電気的に接続されるとともに上記筐体の開口部に連続して設けられた収納部に収納され、上記副プリント基板に実装された発光素子は、上記導光体を介して上記操作部又は操作部の周辺を照明する操作装置。
【発明の詳細な説明】
【０００１】
【発明の属する技術分野】
本発明は、照明機能を備えることで、暗い場所において操作部を照らすことができる照明機能を備えた操作装置に関する。
【０００２】
【従来の技術】
従来より、車載用の記録再生装置等暗い所でも使用される電子機器の操作装置には、操作部自体又は操作部周辺を照光し、暗い所における操作部の操作性を向上させたものがある。この操作装置は、操作部を回転操作することによって、再生音量の調整を行ったり、ラジオのチューニングを行うことができる。
【０００３】
このような操作部を備えた操作装置１００は、図６に示すように、プリント基板１０１と、プリント基板１０１上に取り付けられたロータリースイッチ１０２と、筐体に形成された円形の開口部１０３より外部に突出され、ロータリースイッチ１０２の操作子１０５に係合する操作部１０６と、開口部１０３より外部に臨まされ、操作部１０６近傍に設けられた導光体１０７と、プリント基板１０１上に実装され、導光体１０７を介して操作部又はその周辺を照光する発光素子１０８とを有する。
【０００４】
この操作装置１００は、コントロールパネル１１０の裏面側に、ロータリースイッチ１０２及び発光素子１０８が実装されているリジット銅張積層板からなるプリント基板１０１が配設されている。
【０００５】
ボリューム調整やチャンネル選局等を行うロータリースイッチ１０２は、操作子１０５と、操作子１０５を回転操作する操作部１０６を有する。
【０００６】
操作部１０６は、円柱状に形成され、操作装置１００のコントロールパネル１１０に形成されている円形の開口部１０３より突出されている。操作部１０６は、図６に示すように、内部に操作子１０５が取り付けられ、操作部１０６が回転操作されることにより、操作子１０５も回転される。
【０００７】
操作部１０６により回転操作される操作子１０５は、ロータリースイッチ１０２のケース本体１１１に取り付けられている。また、ケース本体１１１内には、操作子１０５近傍に図示しない切換端子が複数配列されている。そして、操作子１０５が回転操作されることによりケース本体１１１内の切換端子が順次導通される。
【０００８】
操作子１０５が挿通されるケース本体１１１は、略正方形状に形成されている。また、ケース本体１１１は、周辺部を折り曲げられることにより断面略コ字状に形成され、プリント基板１０１上に配設されている。
【０００９】
この操作部１０６の周囲を囲むように形成されている導光体１０７は、光透過性を有するポリカーボネート（ＰＣ）樹脂等により略リング状に形成されてなる。この導光体１０７は、操作装置１００のコントロールパネル１１０より突出されている操作部１０６の周囲に配設され、開口部１０３より外方に臨まされている。
【００１０】
この導光体１０７を照射することにより操作部１０６を照光する発光素子１０８は、ＬＥＤ（light emitting diode）等の発光素子であり、筐体のコントロールパネル１１０近傍に配設されているプリント基板１０１上に、導光体１０７と対向して略円形に実装されている。従って、発光素子１０８は、導光体１０７よりコントロールパネル１１０の外方に発光され、操作部１０６及びその周辺を照光する。これにより、暗い所でも操作部１０６の操作性を向上させることができる。
【００１１】
この操作装置１００は、操作部１０６を回転操作すると、内部に取り付けられた操作子１０５が回転されて、プリント基板１０１上に配設されている切換端子が順次導通され、カーオーディオのボリューム調整やチャンネル選局ができる。
【００１２】
また、操作部及び操作部周辺を照光させる操作装置には、図７に示すものがある。この操作装置１２０は、プリント基板１２１と、プリント基板１２１上に取り付けられたロータリースイッチ１２２と、電子機器筐体に形成された円形の開口部１２３より外部に突出され、ロータリースイッチ１２２の操作子１２５に係合する操作部１２６と、開口部１２３より外部に臨まされ、操作部１２６近傍に設けられた導光体１２７と、プリント基板１２１上に実装され、導光体１２７を介して操作部１２６又はその周辺を照光する発光素子１２８とを有する。
【００１３】
ボリューム調整やチャンネル選局を行うロータリースイッチ１２２は、プリント基板１２１上に配設されたケース本体１２９に操作子１２５が回転自在に支持され、操作部１２６によって操作子１２５が回転操作されることにより、ケース本体内部に配設された図示しない接点端子が順次導通される。また、操作子１２５を回転操作する操作部１２６の外径は、ケース本体１２９の外径よりも小さく形成されている。
【００１４】
電子機器筐体に形成された開口部１２３の内周側に配設され操作部１２６の周囲を囲むように形成されている導光体１２７は、光透過性を有するポリカーボネート（ＰＣ）樹脂等により略リング状に形成されてなる。
【００１５】
ロータリースイッチ１２２及びその周辺を照光する発光素子１２８は、プリント基板１２１のケース本体１２９を囲むように、略円形に実装されている。
【００１６】
【発明が解決しようとする課題】
しかし、操作装置１００は、図６に示すように、発光素子１０８が導光体１０７と対向して実装されているため、導光体１０７に発光素子１０８からの光が直接照射され、発光素子１０８の輝点がはっきり認識されてしまい、この輝点による光ムラが発生してしまう。
【００１７】
この場合、発光素子１０８の実装位置を導光体１０７よりも操作部１０６の外周方向にずらすと、操作部１０６の近傍に他の部品を実装することが困難となり、周辺部品の実装位置に制約ができて、プリント基板１０１上に高密度実装を行うことが困難となる。
【００１８】
また、操作装置１２０は、図７に示すように、操作部１２６及び導光体１２７の径がケース本体１２９の径より小さいため、発光素子１２８は導光体１２７よりも外方に配設される。また、発光素子１２８の一部は、近傍にロータリースイッチ１２２のケース本体１２９のコーナ部が配設される。このため、発光素子１２８からの光がケース本体１２９に妨げられて導光体１２７から発光する光に光ムラが生じる場合がある。
【００１９】
更に、従来のロータリースイッチ１０２，１２２では発光素子１０８，１２８の配設位置が決まっており、照光範囲及びロータリスイッチ１０２，１２２の形状に制約が生じていた。
【００２０】
そこで、本発明は、ロータリースイッチのケース本体上部に配設した基板上に発光素子を実装して、発光素子からの光がケース本体により遮られることなく、光ムラが発生することを防止することができるとともに、ロータリースイッチの周辺部の実装に自由度がある操作装置を提供することを目的とする。
【００２１】
【課題を解決するための手段】
本発明が適用された操作装置は、筐体内に配設される主プリント基板と、本体部と本体部に設けられた操作子とを有し、上記主プリント基板に取り付けられる可変電気素子と、上記筐体に形成された開口部より外部に突出され、上記可変電気素子の操作子に形成された係合部に係合する操作部と、上記筐体に形成された開口部より外部に臨まされ、上記操作部近傍に設けられる導光体と、上記主プリント基板と離間して上記可変電気素子と上記導光体の間に配置される副プリント基板と、上記副プリント基板に上記導光体を介して上記操作部の下面と対向するように、上記操作部の全周に亘って実装される複数の発光素子とを備え、上記副プリント基板に取り付けられた発光素子は、上記操作子を中心として上記操作部の外径よりも小さい範囲に配設され、上記副プリント基板は上記主プリント基板に電気的に接続されるとともに上記筐体の開口部に連続して設けられた収納部に収納され、上記副プリント基板に実装された発光素子は、上記導光体を介して上記操作部又は操作部の周辺を照明するものである。
【００２２】
【発明の実施の形態】
以下、本発明が適用された操作装置について、車載用オーディオ装置のコントロールパネルに使用した場合を例にとって、図面を参照して説明する。なお、図１、図２、図４において本発明の参考例となる操作装置の構成について説明し、図５において本発明が適用された操作装置の構成について説明する。この電子機器は、図３に示すように、車載可能な１ＤＩＮサイズに形成され、コントロールパネル２に略円形の開口部３が形成されている。この開口部３は、ロータリースイッチ４の操作部５が突設され、操作部５の周囲に形成され操作部５を照光する導光体７が配設されている。また、コントロールパネル２は、ボリュームや選局したチャンネル等が表示される表示部８を有する。
【００２３】
このオーディオ装置は、ユーザが発光素子１０の電源を入れることにより、発光素子１０からの光が導光体７を介して外方に照射され、操作部５及び操作部５の周辺が照光される。したがって、暗い所におけるコントロールパネル２の操作性を向上させることができる。
【００２４】
このようなオーディオ装置等に用いられる操作装置１は、図１（Ａ）及び（Ｂ）に示すように、カーオーディオの再生音量の調整等を行うロータリースイッチ４と、コントロールパネル２の前面側に設けられ、操作部５の周囲に配設された光透過性の導光体７と、ロータリースイッチ４のケース本体１１上に取り付けられた副プリント基板１２に実装され、導光体７を介して操作部５又はその周辺を照光する発光素子１０とを備える。
【００２５】
ロータリースイッチ４は、コントロールパネル２の裏面側に配設されている主プリント基板１５上に実装されたケース本体１１に回転可能に支持される操作子６とを備える。また、この操作子６は、操作子６を回転操作する操作部５が係合されている。
【００２６】
この操作子６は、図１（Ａ）及び（Ｂ）並びに図２に示すように、略円柱状に形成されるとともに、上下方向に亘って断面略Ｌ字状に切り欠かれ、操作部５との係合部１４が形成されている。また、操作子６は基端部側をケース本体１１に回転可能に支持されている。
【００２７】
操作子６を回転可能に支持するケース本体１１は、略直方体の筐体からなり、ロータリースイッチ４を主プリント基板１５と電気的に接続させるリード端子１６がケース本体側面より下方に向かって突設されている。そして、ケース本体１１は、後述する主プリント基板１５のスイッチ実装部１８上に載置され、はんだ付けされている。また、ケース本体１１は、リード端子１６が主プリント基板１５に穿設された接続孔１９に挿入され、主プリント基板１５との導通が図られる。このケース本体１１内には図示しない複数の接点端子が配設されている。
【００２８】
操作子６に係合され、回転操作することにより操作子６を回転させる操作部５は、操作子６よりも大径の略円柱状に形成されている。この操作部５は、外周面に後述する導光体７に形成された係合部２０に係合される係合段部２１が形成されている。そして、操作部５は、操作子６と係合されることにより、下面側とケース本体１１の上面との間に後述する発光素子１０が実装された副プリント基板１２が配設される間隙が形成されている。このような操作部５は、コントロールパネル２に形成された開口部３よりユーザが把持可能な高さに突出される。
【００２９】
このような、ロータリースイッチ４は、操作部５が電子機器のコントロールパネル２に形成されている開口部３より、把持可能な高さに突出されている。そして、ロータリースイッチ４は、操作部５が回転操作されることにより、操作子６も回転され、ケース本体１１内に実装されている接点端子が順次導通されて、カーオーディオのボリューム調整や、カーラジオのチャンネル選局を行うことができる。
【００３０】
このロータリースイッチ４が載置される主プリント基板１５は、リジット銅張積層板からなり、基板表面がコントロールパネル２の裏面側に配設されている。主プリント基板１５は、基板表面にロータリースイッチ４が実装されるスイッチ実装部１８が形成されるとともに、このロータリースイッチ４の電気信号を伝える導電パターン２２がプリントエッチ法等により印刷されている。また、主プリント基板１５は、後述する発光素子１０が実装されている副プリント基板１２と電気的接続を図るコネクタ２３が、スイッチ実装部１８近傍に取り付けられている。そして、主プリント基板１５は、コントロールパネル２に形成された開口部３よりロータリースイッチ４の操作子６が外方に臨まされるように配設されている。
【００３１】
ケース本体１１上に配設され、発光素子１０が実装された副プリント基板１２が取り付けられることにより、発光素子１０をケース本体１１上に配設させる取付板２５は、金属平板を折曲げ形成してなるものであり、略正方形状に形成された主面部２６と、折り曲げ形成された側面部２７とからなり、全体を断面略コ字状に形成されている。そして、取付板２５は、主プリント基板１５上に、ロータリースイッチ４のケース本体１１を覆うように配設されている。また、取付板２５の主面部２６の略中央部には、ロータリースイッチ４の操作子６及び操作部５が挿通される挿通孔２８が穿設されている。
【００３２】
このような取付板２５の両側面部２７，２７には、主プリント基板１５との設置面に、取付板２５と主プリント基板１５とを係合するための略鉤状の係合部２９が形成されている。そして、取付板２５は、主面部２６に形成された挿通孔２８にロータリースイッチ４の操作部５及び操作子６を挿通させて、ロータリースイッチ４のケース本体１１を覆うようにして主プリント基板１５上に配設される。そして、取付板２５は、予め主プリント基板１５に穿設されている係合溝３０に係合部２９を係合させた後、この係合部２９を折り曲げることにより主プリント基板１５上に取り付けられる。これにより、取付板２５の主面部２６は、ロータリースイッチ４のケース本体１１上に配設される。なお、このとき、取付板２５の主面部２６は操作部５の下面部よりも下方に位置し、操作部５と取付板２５の主面部２６との間には後述する発光素子が実装された副プリント基板１２が配設される間隙が形成されている。
【００３３】
取付板２５上に取り付けられている副プリント基板１２は、可撓性を有するいわゆるフレキシブルプリント基板により形成されている。副プリント基板１２は、図２に示すように、発光素子１０が実装されている略円形の主面部３１と、この発光素子１０と主プリント基板１５との導通を図る接続部３３とからなり、主面部３１が取付板２５の主面部２６に接着されている。
【００３４】
副プリント基板１２の略円形に形成された主面部３１は、中央部にロータリースイッチ４の操作子６及び操作部５が挿通される挿通孔３４が穿設されている。また、主面部３１には、挿通孔３４の周囲に導光体７を照射するＬＥＤ等の発光素子１０が複数実装されている。この発光素子１０は、それぞれ接続部３３に形成された導電パターン３２と接続されて電源が供給されている。
【００３５】
また、接続部３３は、主面部３１より延設され、取付板２５の側面部２７に沿って垂下されて、先端が主プリント基板１５に配設されているコネクタ２３に取り付けられている。接続部３３は、主面部３１上に実装されている発光素子と主プリント基板１５との導通を図る導電パターン３２が形成されている。したがって、主面部３１に実装されている発光素子１０に電源を供給することができる。
【００３６】
このような副プリント基板１２は、取付板２５上に、各挿通孔２８，３４を合わせるように接着され、ロータリースイッチ４の操作子６及び操作部５を挿通させて配設される。このとき、操作部５の下部と副プリント基板１２との間には間隙が形成されているため、発光素子１０が導光体７の下方近傍に一定のクリアランスを隔てて配設される。また、発光素子１０は、図１（Ａ）及び（Ｂ）に示すように、ロータリースイッチ４の操作子６を中心として、操作部５の外径よりも小さい範囲に配設されている。即ち、発光素子１０は、導光体７を介して操作部５の下面側と対向配置される。従って、発光素子１０から照射される光は、直接導光体７より外方に発光されることはなく、輝点が認識されることがないため、光ムラを防止することができる。
【００３７】
また、副プリント基板１２は、可撓性を有するフレキシブル基板によって形成されているため、ロータリースイッチ４の操作部５の形状に合わせて成形することができ、ロータリースイッチ４の形状の自由度を広げることができる。
【００３８】
なお、上述したケース本体１１、リード端子１６、コネクタ２３は、主プリント基板１５の下面に形成されている図示しない導電パターンに半田付けされている。
【００３９】
このような操作装置１は、図３に示すように、カーステレオ等の暗い所でも使用される電子機器のコントロールパネル２に用いられ、ボリューム調整やカーラジオのチューニング等に使用される。
【００４０】
このような操作装置１は、ユーザが電子機器の電源を入れることにより、発光素子１０からの光が導光体７を介して外方に照射され、操作部５及びその周辺が照光される。従って、暗い所におけるコントロールパネル２の操作性を向上させることができる。そして、ユーザがコントロールパネル２の開口部３より突出されている操作部５を把持し回転させることにより、操作部５が係合された操作子６が回転操作される。これにより、ケース本体１１内に配設された接点端子が順次導通され、オーディオ装置のボリューム調整やチューニングを行うことができる。
【００４１】
このとき、操作装置１の発光素子１０は、ロータリースイッチ４のケース本体１１より上部に配設された副プリント基板１２に実装されているため、発光がロータリースイッチ４のケース本体１１によって遮られることがなく、光ムラの発生を防止し、ロータリースイッチ３及びその周辺の見栄えを良くすることができる。また、発光素子１０がロータリースイッチ４のケース本体１１上に配設されている副プリント基板１２上に実装されているため、主プリント基板１５のロータリースイッチ４周辺に他の実装部品を容易に実装することができる。
【００４２】
また、操作部５の係合段部２１と、導光体７の係合部２０とが係合されることによって、副プリント基板１２上に実装されている発光素子１０は、導光体７を介して操作部５と対向されている。したがって、発光素子１０から照射される光は、導光体７を介して直接外方に照射されることがないため、輝点がはっきりと認識されることを防止でき、輝点による光ムラを防止することができる。
【００４３】
なお、本発明が適用された操作装置は、ロータリースイッチ４のみでなく、可変ボリューム、ロータリーエンコーダ、可変バリコン、切換スイッチ等の可変電気素子を用いても良い。また、回転式のものの他、プッシュ式のものを用いてもよい。
【００４４】
また、本発明の参考例となる操作装置は、取付板２５を用いなくてもよい。即ち、図４に示すように、副プリント基板１２の挿通孔３４にロータリースイッチ４の操作子６を挿通させ、ケース本体１１の上面部に直接副プリント基板１２を接着させて、発光素子１０をケース本体１１上に配設するようにしてもよい。これによっても発光素子１０から発光された光がケース本体１１により遮られることを防止できる。また、ロータリースイッチ４周辺に他の実装部品を実装する自由度を広げることができる。
【００４５】
また、本発明が適用された操作装置は、主プリント基板１５上のスイッチ実装部１８近傍にコネクタ２３を取り付けず、副プリント基板１２の主面部３１に導電線の一端部を半田付けするとともに、導電線の他端を主プリント基板１５の導電パターンに半田付けして直接接続させてもよい。
【００４６】
以下、本発明が適用された操作装置について説明する。なお、上記操作装置１と同一の部材は、同一の符号を付してその詳細を省略する。
【００４７】
この操作装置４０は、図５に示すように、ロータリースイッチ４等の可変電気素子が取り付けられている主プリント基板１５と、ロータリースイッチ４の操作子６に取り付けられている操作部５と、発光素子１０から発光された光を外方に照射する導光体７と、上記発光素子１０が実装された副プリント基板１２と、上記副プリント基板１２を上記導光体７上に収納保持する収納部４２とを備え、これら主プリント基板１５と副プリント基板１２とは電気的に接続されるとともに、導光体７と副プリント基板１２との間に発光素子１０が取り付けられてなる。
【００４８】
副プリント基板１２を収納保持する収納部４２は、コントロールパネル２に形成された開口部３の周縁部より内方に向かって突設された収納壁４３と、副プリント基板１２が載置される底部４４とからなり、断面略コ字状に形成されている。そして、収納部４２は、開口部３の周縁部から連続して取り付けられている。
【００４９】
収納部４２の収納壁４３は、下端部近傍に発光素子１０を実装した副プリント基板１２が挿入可能な幅を有するスリット４５が形成されている。また、収納部４２の底部４４には、ロータリースイッチ４の操作子６が挿通される挿通孔４６が形成されている。
【００５０】
このような収納部４２は、発光素子１０が実装された副プリント基板１２がスリット４５より挿入され、スリット４５の開口端部で副プリント基板１２の側面側を支持する。そして、副プリント基板１２が収納された収納部４２は、底部４４に形成されている挿通孔４６と、副プリント基板１２の挿通孔２８との位置合わせを行った後、ロータリースイッチ４の操作子６が底部４４の挿通孔４５より挿入される。
【００５１】
このとき、副プリント基板１２に実装された発光素子１０は開口部３の内周面側に接着されている導光体７と対向される。その後、ロータリースイッチ４の操作子６には操作部５が装着される。これにより、副プリント基板１２に実装された発光素子１０は、導光体７を介してロータリースイッチ４の操作部５の下面側と対向される。
【００５２】
このような操作装置４０は、ユーザが電子機器の電源を入れることにより、発光素子１０からの光が導光体７を介して外方に照射され、操作部５及びその周辺が照光される。従って、暗い所におけるコントロールパネル２の操作性を向上させることができる。そして、ユーザがコントロールパネル２の開口部３より突出されている操作部５を把持し回転させることにより、操作部５が係合された操作子６が回転操作される。これにより、ケース本体１１内に配設された接点端子が順次導通され、オーディオ装置のボリューム調整やチューニングを行うことができる。
【００５３】
このとき、操作装置４０は、発光素子１０が導光体７を介して操作部５の下面部と対向されているため、発光素子１０から照射される光は、直接外方に発光されることがなく、輝点がはっきり認識されることによる光ムラを防止することができる。
【００５４】
また、操作装置４０の発光素子１０は、ロータリースイッチ４のケース本体１１より上部に配設された副プリント基板１２に実装されているため、発光された光がロータリースイッチ４のケース本体１１によって遮られることがなく、光ムラの発生を防止することができる。また、発光素子１０がロータリースイッチ４のケース本体１１上に形成されている収納部４２内に収納されている副プリント基板１２上に実装されているため、主プリント基板１５のロータリースイッチ４周辺に他の実装部品を実装する自由度を広げることができる。
【００５５】
以上、本発明が適用された操作装置をカーステレオに使用した場合を例にとって説明したが、本発明はこれに限られるものではなく、ロータリスイッチ等の可変電気素子を使用する電気製品全般について使用できる。
【００５６】
【発明の効果】
上述したように、本発明にかかる操作装置によれば、操作部の係合段部と、導光体の係合部とが係合されることによって、副プリント基板上に、操作部の全周に亘って実装されている複数の発光素子は、導光体を介して操作部の下面と対向されている。したがって、発光素子から照射される光は、導光体を介して直接外方に照射されることがないため、輝点がはっきりと認識されることを防止でき、輝点による光ムラを防止することができる。
【００５７】
また、発光素子は、主プリント基板と離間してロータリースイッチのケース本体より上部に配設された副プリント基板に実装されているため、発光された光がロータリースイッチのケース本体によって遮られることがなく、光ムラの発生を防止することができる。
【００５８】
さらに、発光素子がロータリースイッチのケース本体上に配設されている副プリント基板上に実装されているため、主プリント基板のスイッチ実装部周辺における他の部品を実装する自由度を高めることができる。
【００５９】
また、フレキシブル基板である副プリント基板上に発光素子を実装させているため、副プリント基板上の実装位置を変えることで、種々の形状のロータリースイッチに容易に対応することができる。このため、ロータリースイッチの操作部及び導光体の形状等の自由度を広げることができる。
【図面の簡単な説明】
【図１】本発明の参考となる操作装置を示す図である。
【図２】本発明の参考となる操作装置を示す斜視図である。
【図３】本発明が適用された操作装置を使用した電子機器を示す斜視図である。
【図４】本発明の参考となる操作装置を示す断面図である。
【図５】本発明が適用された操作装置を示す断面図である。
【図６】従来の電子機器に用いられてるロータリースイッチを示す図である。
【図７】従来の電子機器に用いられる他のロータリースイッチを示す図である。
【符号の説明】
１ 操作装置、２ コントロールパネル、３ 開口部、４ ロータリースイッチ、５ 操作部、６ 操作子、７ 導光体、８ 表示部、１０ 発光素子、１１ケース本体、１２ 副プリント基板、１４ 係合部、１５ 主プリント基板、１６ リード端子、１８ スイッチ実装部、２２ 導電パターン、２３ コネクタ、４０ 操作装置、４２ 収納部、４３ 収納壁、４４ 底部、４５ スリット、４６ 挿通孔
【図１】
0004483082.tif 000002
【図２】
0004483082.tif 000003
【図３】
0004483082.tif 000004
【図４】
0004483082.tif 000005
【図５】
0004483082.tif 000006
【図６】
0004483082.tif 000007
【図７】
0004483082.tif 000008